(57)【要約】【課題】印刷時刻を合成印刷する仕組みであるため、印刷物から撮像時刻を特定できなかった。【解決手段】画像形成装置として、（ａ）予め定めた設定時間を計測する計時部と、（ｂ）設定時間が経過した時点の入力画像を取り込む画像取込部と、（ｃ）設定時間の経過回数をカウントするイベント計数部と、（ｄ）画像取込部で取り込んだ入力画像に、イベント計数部で取り込んだ回数を文字情報として合成する合成処理部とを有するものを提案する。【選択図】図２
2006110819.tif 000002
【特許請求の範囲】
【請求項１】
予め定めた設定時間を計測する計時部と、
設定時間が経過した時点の入力画像を取り込む画像取込部と、
設定時間の経過回数をカウントするイベント計数部と、
前記画像取込部で取り込んだ入力画像に、前記イベント計数部で取り込んだ回数を文字情報として合成する合成処理部と
を有することを特徴とする画像形成装置。
【請求項２】
請求項１に記載の画像形成装置において、
前記計時部は、第１の設定時間Ｔ１と、第１の設定時間の経過時点を起点とする第２の設定時間Ｔ２（＜Ｔ１）とを計測する
ことを特徴とする画像形成装置。
【請求項３】
請求項１に記載の画像形成装置は、
合成画像の画素数を減らした縮小サイズ画像を形成するサイズ縮小部と、
予め定めた数の縮小サイズ画像が得られる度、これらの縮小サイズ画像を１つの画面上に割り付ける画像割付部と
を有することを特徴とする画像形成装置。
【請求項４】
予め設定された一定時間を計測する計時部と、
一定時間が経過した時点の入力画像を取り込む画像取込部と、
設定時間の経過回数をカウントするイベント計数部と、
前記画像取込部で取り込んだ入力画像に、前記イベント計数部で取り込んだ回数を文字情報として合成する合成処理部と
を有することを特徴とする撮像装置。
【請求項５】
予め設定された一定時間を計測する計時部と、
一定時間が経過した時点の入力画像を取り込む画像取込部と、
設定時間の経過回数をカウントするイベント計数部と、
前記画像取込部で取り込んだ入力画像に、前記イベント計数部で取り込んだ回数を文字情報として合成する合成処理部と
を有することを特徴とする印刷装置。
【請求項６】
予め設定された一定時間を計測する計時部と、
一定時間が経過した時点の入力画像を取り込む画像取込部と、
設定時間の経過回数をカウントするイベント計数部と、
前記画像取込部で取り込んだ入力画像に、前記イベント計数部で取り込んだ回数を文字情報として合成する合成処理部と
を有することを特徴とする画像処理装置。
【請求項７】
予め設定された一定時間を計測する計時処理と、
一定時間が経過した時点の入力画像を取り込む画像取込処理と、
設定時間の経過回数をカウントするイベント計数処理と、
前記画像取込処理で取り込んだ入力画像に、前記イベント計数処理で取り込んだ回数を文字情報として合成する合成処理と
を有することを特徴とする画像形成方法。
【請求項８】
予め設定された一定時間を計測する計時処理と、
一定時間が経過した時点の入力画像を取り込む画像取込処理と、
設定時間の経過回数をカウントするイベント計数処理と、
前記画像取込処理で取り込んだ入力画像に、前記イベント計数処理で取り込んだ回数を文字情報として合成する合成処理と
をコンピュータに実行させるプログラム。
【発明の詳細な説明】
【技術分野】
【０００１】
発明の一つの形態は、設定時間の経過回数を入力画像に合成する画像形成装置に関する。また、発明の他の形態は、画像形成装置を搭載した撮像装置、印刷装置、画像処理装置に関する。また、発明の他の形態は、設定時間の経過回数を文字情報として合成する機能を実現するプログラム、画像形成方法に関する。
【背景技術】
【０００２】
昨今、セキュリティーに対する重要性が高まっている。これに伴い、金融機関や店舗だけでなく、公共施設や一般家庭にも防犯カメラの設置が進んでいる。現在、防犯カメラで撮像された画像データは、動画像のまま磁気テープや磁気ディスクに記録される。
防犯カメラについて開示したものに特許文献１がある。
【特許文献１】特開２００１−２４５２７９号公報
【発明の開示】
【発明が解決しようとする課題】
【０００３】
その一方で、監視カメラが捉えた画像を紙その他の被記録媒体に印刷して保存したいという要望も根強くある。ところで、一般的な印刷装置では、印刷実行時の時刻情報が画像に合成される。このため、印刷画像の取込時刻（撮像時刻）を確認できなかった。
また、保存し又は管理する画像が多い場合、時刻情報だけでは前後関係の確認が煩雑である。
なお、これ等の課題は、撮像画像を印刷して観察、解析する分野でも共通する。
【課題を解決するための手段】
【０００４】
発明者らは、以上の技術的課題に着目し、以下の技術手法を提案する。
すなわち、画像形成装置として、（ａ）予め定めた設定時間を計測する計時部と、（ｂ）設定時間が経過した時点の入力画像を取り込む画像取込部と、（ｃ）設定時間の経過回数をカウントするイベント計数部と、（ｄ）画像取込部で取り込んだ入力画像に、イベント計数部で取り込んだ回数を文字情報として合成する合成処理部とを提案する。
なお、計時部は、第１の設定時間Ｔ１と、第１の設定時間の経過時点を起点とする第２の設定時間Ｔ２（＜Ｔ１）とを計測することが望ましい。２つの設定時間を扱うことで、撮像対象の特性や観察者の用途に応じた画像の取り込みを実現できる。
また、この画像形成装置は、（ｅ）合成画像の画素数を減らした縮小サイズ画像を形成するサイズ縮小部と、（ｆ）予め定めた数の縮小サイズ画像が得られる度、これらの縮小サイズ画像を１つの画面上に割り付ける画像割付部とを更に有することが好ましい。１つの画面上に複数時点の縮小サイズ画像を集積できることで、比較観察を容易にできる。また同時に、資源の節約を実現できる。
【発明の効果】
【０００５】
発明に係る技術手法の採用により、印刷画像が取り込まれた順番を印刷物上で確認できる。
【発明を実施するための最良の形態】
【０００６】
以下、発明に係る技術手法を採用する画像形成装置の実施形態例を説明する。
なお、本明細書で特に図示又は記載されない部分には、当該技術分野の周知又は公知技術を適用する。
また以下に説明する実施形態は、発明の一つの実施形態であって、これらに限定されるものではない。
【０００７】
（Ａ）実施形態例１
（ａ）システム構成例
図１に、この実施例で前提とする監視システムの構成例を示す。
このシステムは、撮像カメラ１と、印刷装置３と、これらを接続する通信ケーブル５とで構成される。撮像カメラ１は、被写体像を常時撮像し、撮像画像データを印刷装置３に送信する。撮像画像データは、ＲＧＢデータ形式で送信される。
一方、印刷装置３には、撮像カメラ１から入力される撮像画像データから定期的に静止画像を取り込んで印刷する機能が搭載されている。
この実施形態の場合、印刷装置３は、静止画像の取込時刻と取込順序を示す通し番号とを静止画像に合成する機能３Ａを搭載する。
以下、この機能を実現する印刷装置の構成例を説明する。
【０００８】
（ｂ）印刷装置の構成例
図２に、印刷装置３の構成例を示す。
印刷装置３は、システムコントロール部３１、ユーザーインターフェース３３、印刷機構駆動部３５、画像入力部３７、ビットマップメモリ３９、印刷画像処理部４１、ヘッドノズル駆動部４３、印刷ヘッド４５を主な構成要素とする。
このうち、システムコントロール部３１が画像形成装置としての機能を実現する。システムコントロール部３１は、時計部３１１、タイマー部（計時部）３１３、イベント数カウンタ（イベント計数部）３１５、フォントメモリ３１７、文字情報ビットマップ展開部３１９、ビットマップ合成部３２１、印刷開始ロジック３２３、ＣＰＵ３２５で構成される。
ここで、時計部３１１は現在時刻を発生するデバイスである。
タイマー部（計時部）３１３は、設定された一定時間の経過を監視し、一定時間の経過を知らせるデバイスである。この実施例では、一定時間を３時間に設定する。すなわち、３時間おきに画像を自動的に取り込むものとする。
【０００９】
イベント数カウンタ（イベント計数部）３１５は、設定された一定時間の経過回数をカウントするデバイスである。
フォントメモリ３１７は、文字情報の合成に使用するフォントを保持するメモリである。
文字情報ビットマップ展開部３１９は、フォントをビットマップ文字データに展開するためのデバイスである。
ビットマップ合成部３２１は、展開されたビットマップ文字データを画像に埋め込む処理を実行する処理デバイスである。このビットマップ合成部３２１が合成処理部として機能する。
印刷開始ロジック３２３は、画像の取り込みから印刷開始までの処理を管理する処理デバイスである。この印刷開始ロジック３２３が画像取込部及び時刻取込部として機能する。
ＣＰＵ３２５は、ファームウェアの実行により印刷装置全体の制御を実現する制御デバイスである。このＣＰＵ３２５は、入力画像データが圧縮符号化されている場合、画像データを復元してビットマップデータに展開する機能も搭載する。
【００１０】
ユーザーインターフェース３３は、印刷装置に設けられた入出力装置が対応する。例えば、操作ボタン、操作スイッチ、表示部が対応する。静止画像の取り込み周期を与える一定時間は、このユーザーインターフェース３３を通じて入力される。
印刷機構制御部３５は、用紙その他の被記録媒体の搬送機構その他を制御するデバイスである。
画像入力部３７は、撮像カメラ１から入力される撮像画像データを一時的に格納する記憶デバイスである。
ビットマップメモリ３９は、印刷対象として取り込まれたビットマップデータを一時的に保存する記録デバイスである。記録デバイスには、揮発性のメモリが使用される。もっとも、ハードディスクその他の記録デバイスを用いても良い。
なお、ビットマップメモリ３９に保存された撮像画像データは、文字情報の合成時にシステムコントロール部３１に読み出され、文字情報との合成後に再びビットマップメモリ３９に記憶される。
【００１１】
印刷画像処理部４１は、ビットマップデータを印刷に適したデータ形式に変換する処理デバイスである。モノクロ画像の印刷時、印刷画像処理部４１は、輝度・濃度変換処理、ガンマ変換処理を実行する。また、カラー画像の印刷時、印刷画像処理部４１は、色変換処理、ガンマ変換処理を実行する。
また、印刷方式にインクジェット方式を適用するこの実施例の場合、印刷画像処理部４１は、濃度値をインク滴数に変換するハーフトーニング処理も実行する。この処理はモノクロ画像の場合もカラー画像の場合も共通である。もっとも、レーザー印刷方式を採用する場合にはハーフトーニング処理は不要である。
ヘッドノズル駆動部４３は、印刷ヘッドを構成する各ノズルに対応するノズル駆動データによるインク滴の吐出を制御するデバイスである。ヘッドノズル駆動部４３には、ノズル配置数や駆動方法に応じたものが用いられる。このヘッドノズル駆動部４３もレーザー印刷方式の場合には不要となる。
印刷ヘッド４５は、インク滴の吐出により被記録媒体上に撮像画像を印刷するデバイスである。インクの吐出方式やヘッド機構は、商品形態に応じたものが使用される。
例えば、インクの吐出方式には、圧電素子の変形によってインクを吐出する方式やインクに熱を加えて生じる気泡によってインクを吐出する方式がある。
また例えば、ヘッド機構には、印刷幅に亘ってノズルが配列されるラインヘッド方式やヘッド自体を印刷幅方向に往復走査するシリアルヘッド方式がある。
【００１２】
（ｃ）稼働時の動作
図３に、監視システムの稼働例を示す。ここでは、開始時点のタイマー部３１３のカウント値がゼロであるものとする。また、一定時間Ｔ１は３時間とする。
稼働開始と同時に、撮像カメラ１は、監視対象の撮像画像データを実時間で送信する。
印刷装置３は、受信した撮像画像データを画像入力部３７に一時的に記憶する。なお、画像入力部３７内の画像データは、新たに入力される撮像画像データによって逐次更新される。
やがて、稼働開始から３時間が経過すると、設定時間の経過が印刷開始ロジック３２３及びイベント数カウンタ３１５に通知される。
印刷開始ロジック３２３は、この通知を受信すると、画像入力部３７が保持する最新の撮像画像データを取り込み画像として書き換えを一時的に禁止する。また、印刷開始ロジック３２３は、取り込まれた撮像画像データを画像入力部３７から読み出してビットマップメモリ３９に記録する。
また、印刷開始ロジック３２３は、時計部３１１の現在時刻を取り込むと共に、イベント数カウンタ３１５のカウント値を１つ増加する。
続いて、印刷開始ロジック３２３は、イベント数カウンタ３１５のカウント値と現在時刻をフォントメモリ３１７に与え、文字情報に変換する。この際、文字フォントには、フォントメモリ３１７のフォントが使用される。
【００１３】
更に、印刷開始ロジック３２３は、変換後の文字情報を文字情報ビットマップ展開部３１９に与え、ビットマップ文字データに展開する。
このビットマップ文字データはビットマップ画像合成部３２１に与えられ、対応する撮像画像データと合成される。合成後の画像は再びビットマップメモリ３９に書き込まれる。
この後、印刷開始ロジック３２３は、印刷画像処理部４１に印刷開始を指示する。印刷画像処理部４１は、通常の印刷動作と同様、ビットマップメモリ３９から読み出された文字情報合成後の撮像画像をインクによる印刷に適したノズル駆動データに変換し、ヘッドノズル駆動部４３に与える。
図４に、印刷結果例を示す。図４は、用紙７の画像印刷領域９内に、撮像日時（取込日時）と通し番号とが印刷された例である。この例の場合、撮像日時は「2004,06,20 9:30:30」である。また、通し番号は「ID:0001」 である。なお、画像印刷領域９の外側は余白領域１１である。
以後、一定時間（３時間）が経過する毎に、撮像日時（取込日時）と通し番号が記録された印刷画像が得られる。
【００１４】
（ｄ）効果
以上のように、この監視システムを用いれば、設定時間毎に自動的に撮像画像を取り込んで印刷できる。結果として、使用者が撮像画像の取り込みを逐次指示する必要を無くすことができる。また、この結果として、印刷された画像を後からまとめて観察又は解析することが可能になる。
また、この監視システムを用いれば、画像と共に撮像日時（取込日時）を文字情報として印刷できる。従って、撮像日時（取込日時）と印刷日時との間にずれが無視し得ない場合には顕著な効果が期待できる。
また、この監視システムを用いれば、画像と共に一連の印刷画像の通し番号が文字情報として印刷できる。従って、多数の画像を観察する場合の順序の確認を容易なものにできる。
また、文字情報の合成は印刷装置内で実行されるため、撮像画像をデータストレージに別途保存する場合には、元データのまま保存できる。
【００１５】
（Ｂ）実施形態例２
（ａ）システム構成例
続いて、監視システムの他の実施形態例を説明する。ここでは、資源の節約のため、複数時点の撮像画像を１枚の用紙に集合印刷する機能を搭載する場合について説明する。なお、基本的なシステム構成は、図１に示した構成と同じである。
（ａ）印刷装置の構成例
図５に、印刷装置３の他の構成例を示す。ここで、図５は、図２と対応する部分に同一符号を付して示す。従って、この印刷装置３は、システムコントロール部３１、ユーザーインターフェース３３、印刷機構駆動部３５、画像入力部３７、ビットマップメモリ３９、印刷画像処理部４１、ヘッドノズル駆動部４３、印刷ヘッド４５、解像度変換部４７を主な構成要素とする。すなわち、解像度変換部４７が新規な構成である。
解像度変換部４７は、画像入力部３７から取り込まれる撮像画像の画素数を削減し、解像度の低い縮小画像を生成する処理デバイスである。なお、縮小画像の生成には、周知の技術を適用する。解像度変換部４７は、画像入力部３７とビットマップメモリ３９との間に配置される。
この解像度変換部４７は、複数時点の撮像画像（取込画像）を１枚の用紙に集合印刷する場合に用いられる。この実施例の場合、４つの時点の撮像画像を１枚の用紙に集合印刷するのに用いられる。この集合印刷の指示は、システムコントロール部３１から与えられる。
なお、集合印刷を実行しない場合（すなわち、取込時点毎に画像を印刷する場合）、解像度変換部４７は、入力された撮像画像をそのまま後段のビットマップメモリ３９に転送する。
【００１６】
この他、システムコントロール部３１にも新たな機能が追加される。すなわち、画像割付レイアウト部３２７が追加される。
画像割付レイアウト部３２７は、縮小画像を１枚の画面内に配置する処理デバイスである。画像割付レイアウト部３２７は、新たに撮像された画像が集合枚数内の何番目かに応じて縮小画像の配置を決定する。
図６に配置例を示す。図６は、４ｎ＋１（ｎは、０以上の整数。以下、同じ。）番目の縮小画像を左上段に配置し、４ｎ＋２番目の縮小画像を左下段に配置し、４ｎ＋３番目の縮小画像を右上段に配置し、４ｎ＋４番目の縮小画像を右下段に配置する例である。
画像割付レイアウト部３２７は、イベント数カウンタ３１５のカウント値に基づいて縮小撮像画像のレイアウトを決定する。なお、画像割付レイアウト部３２７は、決定されたレイアウトに基づいて縮小画像の記憶位置をビットマップメモリ３９に指示する。
また、この印刷開始ロジック３２３には、集合印刷に応じた印刷ロジックが使用される。すなわち、集合印刷時における解像度変換部４７に対する縮小処理の実行指示、イベント数カウンタ３１５のカウント値に基づく印刷実行タイミングの管理処理が追加される。
この例の場合、印刷開始ロジック３２３は、イベント数カウンタ３１５のカウント値が４の倍数になり、文字情報が合成された４つの縮小画像がビットマップメモリ３９上に格納されると、印刷の実行を各部に指示する。
【００１７】
（ｃ）稼働時の動作
図７に、監視システムの稼働例を示す。ここでも、開始時点のタイマー部３１３のカウント値がゼロであるものとする。また、一定時間Ｔ１は３時間とする。稼働開始と同時に、撮像カメラ１は監視対象の撮像画像データを実時間で送信する。
印刷装置３は、受信した撮像画像データを画像入力部３７に一時的に記憶する。なお、画像入力部３７内の画像データは、新たに入力される撮像画像データによって逐次更新される。
やがて、稼働開始から３時間が経過すると、設定時間の経過が印刷開始ロジック３２３及びイベント数カウンタ３１５にタイマー部３１３から通知される。
印刷開始ロジック３２３は、この通知を受信すると、画像入力部３７が保持する最新の撮像画像データを取り込み画像として書き換えを一時的に禁止する。また、印刷開始ロジック３２３は、取り込まれた撮像画像データを画像入力部３７から読み出して解像度変換部４７に与える。
【００１８】
次に、印刷開始ロジック３２３は、画像サイズが縮小された撮像画像データをビットマップメモリ３９に記録させる。この際、撮像画像データの記録位置は、画像割付レイアウト部３２７の決定した割り付け位置である。
また、印刷開始ロジック３２３は、時計部３１１の現在時刻を取り込むと共に、イベント数カウンタ３１５のカウント値を１つ増加する。
続いて、印刷開始ロジック３２３は、イベント数カウンタ３１５のカウント値と現在時刻をフォントメモリ３１７に与え、文字情報に変換する。この際、文字フォントには、フォントメモリ３１７のフォントが使用される。
更に、印刷開始ロジック３２３は、変換後の文字情報を文字情報ビットマップ展開部３１９に与え、ビットマップ文字データに展開する。このビットマップ文字データはビットマップ画像合成部３２１に与えられ、対応する撮像画像データと合成される。合成後の画像は、再びビットマップメモリ３９内の所定位置に書き込まれる。
【００１９】
以後、一定時間（３時間）が経過する毎に、縮小変換された撮像画像データに撮像日時（取込日時）と通し番号が記録される。
やがて、イベント数カウンタ３１５のカウント値が４の倍数になると、印刷開始ロジック３２３は、印刷画像処理部４１に対して印刷開始を指示する。印刷画像処理部４１は、通常の印刷動作と同様、ビットマップメモリ３９から読み出された文字情報合成後の撮像画像をインクによる印刷に適したノズル駆動データに変換し、ヘッドノズル駆動部４３に与える。
図８に、印刷結果例を示す。図８は、用紙７内に４つの撮像時点の縮小画像が集合印刷された状態を表している。勿論、各縮小画像には、撮像日時（取込日時）と通し番号とが印刷されている。この例の場合、左上段に配置された縮小画像の撮像日時は「2004,06,20 9:30:30」である。また、通し番号は「ID:0001」 である。また、左下段に配置された縮小画像の撮像日時は「2004,06,20
12:30:30」 である。また、通し番号は「ID:0002」 である。さらに、右上段に配置された縮小画像の撮像日時は「2004,06,20 15:30:30」
である。また、通し番号は「ID:0003」 である。また、右下段に配置された縮小画像の撮像日時は「2004,06,20 18:30:30」 である。また、通し番号は「ID:0004」
である。
【００２０】
（ｄ）効果
以上のように、この監視システムを用いれば、設定時間毎に自動的に撮像画像を取り込むことができる。結果として、使用者が撮像画像の取り込みを逐次指示する必要を無くすことができる。
また、この監視システムの場合、各取込画像が観察上問題ない画像サイズまで縮小され、一枚の用紙上に集合的に印刷される。この例の場合、４つの時点の画像を１枚の用紙上で対比観察又は解析でき、作業効率を高めることができる。
また、集合印刷によって、用紙やインクの節約を実現できる。結果として、その補給に要する手間を省くことができる。
また、この監視システムも、画像と共に撮像日時（取込日時）を文字情報として印刷できる。従って、撮像日時（取込日時）と印刷日時との間にずれが無視し得ない場合には顕著な効果が期待できる。
また、この監視システムも、画像と共に一連の印刷画像の通し番号が文字情報として印刷できる。従って、多数の画像を観察する場合の順序の確認を容易なものにできる。
また、文字情報の合成は印刷装置内で実行されるため、撮像画像をデータストレージに別途保存する場合には、元データのまま保存できる。
【００２１】
（Ｃ）他の実施形態
（ａ）前述の実施形態では、用途を特定しない監視システムについて説明した。この監視システムは、防犯システムだけでなく、一定時間おきに植物の生育や動物の行動パターンを観察又は解析する用途にも適用できる。勿論、監視、観察又は解析のいずれかに該当する他の用途にも適用できる。
これらの用途では、撮像画像の取り込み時刻が重要であることが多く、前述したシステムの適用に適している。
（ｂ）前述の実施形態では、撮像日時（取込日時）と通し番号とを画像印刷領域９内の画像に重ねて印刷した。しかし、図９に示すように、撮像日時（取込日時）と通し番号を用紙７の余白領域１１に配置しても良い。この場合、撮像画像の絵柄によらず、撮像日時（取込日時）と通し番号の確認が容易になる。
（ｃ）前述の実施形態では、通し番号が撮像日時（取込日時）の配置の前に配置される場合について説明した。しかし、通し番号と撮像日時の位置関係は反対でも良い。すなわち、通し番号が撮像日時（取込日時）の後に配置されても良い。
【００２２】
（ｄ）前述の実施形態では、撮像日時（取込日時）と通し番号を同一領域にまとめて印刷する場合について説明した。しかし、撮像日時（取込日時）と通し番号は別々に印刷しても良い。
図１０に、印刷例を示す。図１０は、撮像日時（取込日時）を画像印刷領域９内に重ねて印刷し、通し番号は余白領域１１に印刷した例である。
因みに、図１０（Ａ）は通し番号を画像印刷領域９に対して右上外周に配置した例であり、図１０（Ｂ）は通し番号を画像印刷領域９に対して左下外周に配置した例である。
（ｅ）前述の実施形態では、撮像日時（取込日時）と通し番号を一組として印刷したが、いずれか一方だけを画像に合成しても良い。図１１に印刷例を示す。図１１（Ａ）は、撮像日時（取込日時）の合成印刷例である。図１１（Ｂ）は、通し番号の合成印刷例である。
勿論、集合印刷時にも、いずれか一方だけを印刷する手法を適用できる。通し番号だけでも、開始時刻と一定時間が分かっていれば比較的簡単に撮像日時（取込日時）を特定することができる。
（ｆ）前述の実施形態では、タイマー部３１３が１種類の一定時間Ｔ１だけを計測する場合について説明した。しかし、２種類以上の一定時間を同時に計測する仕組みとしても良い。
図１２に、２種類の設定時間を用いて集合印刷する場合を示す。この場合、第１の設定時間Ｔ１は３時間とする。また、第２の設定時間Ｔ２は７分とし、第１の設定時間Ｔ１から３回計測されるものとする。
図１２の場合、３時間周期で各周期の０分、７分、１４分、２１分目に当たる画像が取り込まれ、計４枚の画像が集合印刷される様子を概念的に表している。このよう設定時間Ｔ１、Ｔ２と撮像画像の取り込みタイミングを組み合わせることにより、観察用に応じた画像の取り込みと印刷が可能となる。
【００２３】
（ｇ）前述の実施形態では、一定時間が３時間の場合について説明した。勿論、これは一例であり、使用者が用途や目的に応じて自由な時間を設定できる。
（ｈ）前述の実施形態では、撮像カメラ１と印刷装置３が通信ケーブル５を経由して直接接続されている場合について説明した。しかし、接続形態はこれに限らない。例えば、撮像カメラ１と印刷装置３は無線回線を通じて１対１に接続されていても良い。
また、図１３に示すようにネットワーク経由で接続されていても良い。
図１３（Ａ）は、ネットワーク５１経由で撮像カメラ１と印刷装置３が接続された例である。
図１３（Ｂ）は、ネットワーク５１上に配置された中継装置５３経由で、撮像カメラ１が撮像した画像データ印刷装置３に転送される場合である。
いずれの場合にも、前述した実施形態と同じ効果を期待できる。なお、ネットワーク５１は、有線路でも無線路でも良い。
【００２４】
（ｉ）前述の実施形態では、取込時刻（撮像時刻）や通し番号を静止画像に合成する機能を印刷装置３に搭載する場合について説明した。
しかし、この機能は他の画像処理装置に搭載しても良い。
例えば、図１４（Ａ）に示すように、撮像カメラ１に文字情報の合成機能１Ａを搭載しても良い。この場合、撮像カメラ１からは一定時間毎に取込時刻や通し番号が合成された画像データが出力される。
また例えば、図１４（Ｂ）に示すように、ネットワーク５１上に配置された中継装置５３に文字情報の合成機能５３Ａを搭載しても良い。この場合、中継装置５３からは一定時間毎に取込時刻や通し番号が合成された画像データが印刷装置３に転送される。
ここで、撮像カメラ１や中継装置５３には、例えばコンピュータ、ＦＡＸ、ビデオカメラ、デジタルカメラ、ゲーム機器、携帯情報端末（携帯型のコンピュータ、携帯電話機、携帯型ゲーム機、電子書籍等）、時計、画像再生装置（例えば、光ディスク装置、ホームサーバー）、モニター、テレビジョン受像器、発明に係る機能を搭載した処理ボードや処理カードを適用できる。
（ｊ）前述の実施形態では、集合印刷の場合、取り込み順に左上→左下→右上→右下と配置したが、レイアウトの順番は基本的に自由である。例えば、左上→右上→左下→右下と配置しても良い。
（ｋ）前述の実施形態では、集合印刷時に４つの縮小画像を１枚の用紙に印刷したが集合数は観察対象に応じて自由に変更できる。
（ｌ）前述の実施例には、発明の趣旨の範囲内で様々な変形例が考えられる。また、本明細書の記載に基づいて創作される各種の変形例及び応用例も考えられる。
【図面の簡単な説明】
【００２５】
【図１】システム例を示す図である。
【図２】印刷装置の構成例を示す図である。
【図３】稼働動作例を示す図である。
【図４】印刷例を示す図である。
【図５】印刷装置の構成例を示す図である。
【図６】集合印刷時の印刷レイアウトを示す図である。
【図７】他の稼働動作例を示す図である。
【図８】集合印刷例を示す図である。
【図９】取込時刻と通し番号を余白領域に印刷する例を示す図である。
【図１０】取込時刻と通し番号の合成位置を別々とする場合の印刷例を示す図である。
【図１１】取込時刻又は通し番号のいずれかを合成する場合の印刷例を示す図である。
【図１２】他の稼働動作例を示す図である。
【図１３】他のシステム例を示す図である。
【図１４】取込時刻を文字情報として合成する機能の他の搭載例を示す図である。
【符号の説明】
【００２６】
１        撮像カメラ
３        印刷装置
７        用紙
９        画像印刷領域
１１      余白領域
３１      システムコントロール部
３１１    時計部
３１３    タイマー部（計時部）
３１５    イベント数カウンタ（イベント計数部）
３１７    フォントメモリ
３１９    文字情報ビットマップ展開部
３２１    ビットマップ合成部
３２３    印刷開始ロジック
３２７    画像割付レイアウト部
【図１】
2006110819.tif 000003
【図２】
2006110819.tif 000004
【図３】
2006110819.tif 000005
【図４】
2006110819.tif 000006
【図５】
2006110819.tif 000007
【図６】
2006110819.tif 000008
【図７】
2006110819.tif 000009
【図８】
2006110819.tif 000010
【図９】
2006110819.tif 000011
【図１０】
2006110819.tif 000012
【図１１】
2006110819.tif 000013
【図１２】
2006110819.tif 000014
【図１３】
2006110819.tif 000015
【図１４】
2006110819.tif 000016